(57)【要約】【課題】種々の受電回路に容易に対応できるインターロック装置を提供する。【解決手段】第一〜第三のインターロックユニットは、自インターロックユニット１０が装着されている開閉器の開閉動作に応動して連結手段１２，１３を介して自開閉器の開閉状態を他の２台のインターロックユニットに出力する出力手段２００と、開閉器の閉路形成を阻止する閉路阻止手段３５と、連結手段２１，３１を介して他の２台のインターロックユニットから伝達される他の２台の開閉器の開閉状態が入力される入力手段（スライダ部１００）を備え、入力手段は、連結手段の連結位置を変えることによって、他の２台の開閉器のいずれか一方が閉路状態の時、あるいは他の２台の開閉器の両方が閉路状態の時のいずれの場合にも、閉路阻止手段３５により開閉器の閉路形成を阻止するように構成している。【選択図】        図２
2005005093.tif 000002
【特許請求の範囲】
【請求項１】
第一の電路を開閉する第一開閉器、第二の電路を開閉する第二開閉器および第三の電路を開閉する第三開閉器と、
上記第一開閉器に装着された第一のインターロックユニット、上記第二開閉器に装着された第二のインターロックユニットおよび上記第三開閉器に装着された第三のインターロックユニットと、
上記第一、第二および第三のインターロックユニット間を連結し、上記第一、第二および第三の開閉器の開閉動作に応動して、自開閉器の開閉状態を他の２台の開閉器に伝達する連結手段を有した開閉器のインターロック装置であって、
上記第一、第二および第三のインターロックユニットのそれぞれは、
自インターロックユニットが装着されている開閉器の開閉動作に応動して、上記連結手段を介して自開閉器の開閉状態を他の２台のインターロックユニットに出力する出力手段と、
自インターロックユニットが装着されている開閉器の閉路形成を阻止する閉路阻止手段と、
上記連結手段を介して他の２台のインターロックユニットの出力手段から出力される他の２台の開閉器の開閉状態が入力される入力手段を備え、
上記入力手段は、上記連結手段の連結位置を変えることによって、他の２台の開閉器のいずれか一方が閉路状態の時、あるいは他の２台の開閉器の両方が閉路状態の時のいずれの場合にも、上記閉路阻止手段により自インターロックユニットが装着されている開閉器の閉路形成を阻止するように構成していることを特徴とする開閉器のインターロック装置。
【請求項２】
上記連結手段は、上記入力手段に着脱可能に連結されることを特徴とする請求項１に記載の開閉器のインターロック装置。
【請求項３】
上記入力手段は、他の２台の開閉器のいずれか一方が閉路状態の時に上記閉路阻止手段を阻止位置まで移動させるスライドベースと、他の２台の開閉器の両方が閉路状態の時に上記閉路阻止手段を阻止位置まで移動させる第一のスライダおよび第二のスライダを備えていることを特徴とする請求項１に記載の開閉器のインターロック装置。
【請求項４】
上記連結手段と上記スライドベース、および上記連結手段と上記第一のスライダおよび第二のスライダとは着脱可能に連結されることを特徴とする請求項３記載の開閉器のインターロック装置。
【請求項５】
上記スライドベース、上記第一のスライダおよび第二のスライダに上記連結手段を嵌挿して係止するためのワイヤ挿入溝を配設したことを特徴とする請求項４記載の開閉器のインターロック装置。
【発明の詳細な説明】
【０００１】
【発明の属する技術分野】
この発明は、複数の開閉器を含んでいる電路において、所定の条件の下で開閉器を閉路できないようにする機械的な開閉器インターロック装置に係り、特に、２系統配電などに必要な３台の開閉器間のインターロック装置に関する。
【０００２】
【従来の技術】
例えば、特許文献１に示されるように、従来の複数系統の受電回路に用いられる開閉器のインターロック装置において、３台の開閉器を用いた場合、任意の２台の開閉器を投入すると、インターロックユニットの動作によって残りの１台の開閉器が投入されないように拘束させるようにしている。
【０００３】
また、受電回路の形態によっては、任意の１台の開閉器を投入したときにインターロックユニットの動作によって残りの２台の開閉器が投入させないように拘束させる必要がある。
この場合には、例えば、特許文献２に示されるように、インターロックユニットの仕様を変更して対応するようにしている。
【０００４】
【特許文献１】
特開２００１−１３５２０３号公報（図１、段落００２２）
【特許文献２】
特開平０７−１９３９２３号公報（図１０、段落００３７）
【０００５】
【発明が解決しようとする課題】
従来の開閉器のインターロック装置は以上のように構成されているので、複数系統の受電回路に用いる開閉器のインターロック装置は、その受電回路の仕様に応じた機能を有する専用のインターロック装置を予め準備する必要があり、取り扱いが煩雑であるという問題があった。
【０００６】
この発明は、上述のような課題を解決するためになされたもので、受電回路の仕様に応じた機能を有する専用のインターロック装置を予め準備することなく、種々の受電回路に対応できる開閉器のインターロック装置を提供することを目的とする。
【０００７】
【課題を解決するための手段】
この発明に係る開閉器のインターロック装置は、第一の電路を開閉する第一開閉器、第二の電路を開閉する第二開閉器および第三の電路を開閉する第三開閉器と、上記第一開閉器に装着された第一のインターロックユニット、上記第二開閉器に装着された第二のインターロックユニットおよび上記第三開閉器に装着された第三のインターロックユニットと、上記第一、第二および第三のインターロックユニット間を連結し、上記第一、第二および第三の開閉器の開閉動作に応動して、自開閉器の開閉状態を他の２台の開閉器に伝達する連結手段を有した開閉器のインターロック装置であって、
上記第一、第二および第三のインターロックユニットのそれぞれは、
自インターロックユニットが装着されている開閉器の開閉動作に応動して、上記連結手段を介して自開閉器の開閉状態を他の２台のインターロックユニットに出力する出力手段と、自インターロックユニットが装着されている開閉器の閉路形成を阻止する閉路阻止手段と、上記連結手段を介して他の２台のインターロックユニットの出力手段から出力される他の２台の開閉器の開閉状態が入力される入力手段を備え、上記入力手段は、上記連結手段の連結位置を変えることによって、他の２台の開閉器のいずれか一方が閉路状態の時、あるいは他の２台の開閉器の両方が閉路状態の時のいずれの場合にも、上記閉路阻止手段により自インターロックユニットが装着されている開閉器の閉路形成を阻止するように構成しているものである。
【０００８】
【発明の実施の形態】
本発明の一実施の形態を図面に基づいて説明する。
なお、各図間において、同一符号は、同一あるいは相当のものを表す。
実施の形態１．
図１は、この発明の実施の形態１に係る開閉器のインターロック装置の全体構成を示す斜視図である。
図２は、図１に示された開閉器のインターロック装置に装着されたインターロックユニットのカバーを取り除いた内部機構の構成を示す斜視図である。
図３は、図２に示したインターロックユニットのスライダ部の構成を示す拡大斜視図である。
また、図４は、図３示したインターロックユニットのスライダ部を裏側（反対側）から見たときの図であり、インターロックワイヤを連結した場合の状態を示す拡大裏面斜視図である。
【０００９】
図１に示すように、本実施の形態による開閉器のインターロック装置は、複数系統（例えば、３系統）の電路（図示なし）に接続されて、第一の系統の電路に流れる電力を開閉する第一開閉器１、第二の系統の電路に流れる電力を開閉する第二開閉器２および第三の系統の電路に流れる電力を開閉する第三開閉器３とで構成されている。
そして、第一開閉器１の側面には第一のインターロックユニット１０、第二開閉器２の側面には第二のインターロックユニット２０、第三開閉器３の側面には第三のインターロックユニット３０が装着されている。
【００１０】
これらの第一のインターロックユニット１０、第二のインターロックユニット２０および第三のインターロックユニット３０は、連結手段である第一のインターロックワイヤ１２、第二のインターロックワイヤ１３、第三のインターロックワイヤ２１、第四のインターロックワイヤ２３、第五のインターロックワイヤ３１、第六のインターロックワイヤ３２により連結されている。
なお、これら第一〜第六のインターロックワイヤ（連結手段）は、各開閉器の開閉動作に応じて、当該インターロックユニットが装着された開閉器以外の開閉器に対して開閉動作信号（即ち、開閉器の開閉状態）を出力（伝達）するものである。
【００１１】
図２に示すように、第一開閉器１の側面に設けられている第一のインターロックユニット１０には、第二開閉器２の開閉状態を伝達（入力）する第三のインターロックワイヤ２１および第三開閉器３の開閉状態を伝達（入力）する第五のインターロックワイヤ３１に係合して上下方向に移動する入力手段であるスライダ部１００が配設されている。
なお、図示はしていないが、図２に示したインターロックユニット１０と同様に、第二のインターロックユニット２０には、第一開閉器１の開閉状態を伝達（入力）する第一のインターロックワイヤ１２および第三開閉器３の開閉状態を伝達（入力）する第六のインターロックワイヤ３２に係合して上下方向に移動するスライダ部が配設され、第三のインターロックユニット３０には第一開閉器１の開閉状態を伝達（入力）する第二のインターロックワイヤ１３および第二開閉器２の開閉状態を伝達（入力）する第四のインターロックワイヤ２３に係合して上下方向に移動するスライダ部が配設されている。
【００１２】
図３に示すように、スライダ部１００は、スライドベース１０１と、このスライドベース１０１に固着された第一の連結ピン１０４に回動自在に保持された第一のスライダ１０２と、この第一のスライダ１０２と対称的にスライドベース１０１に固着された第二の連結ピン１０５に回動自在に保持された第二のスライダ１０３と、一方端が第一の連結ピン１０４に係合し第一のスライダ１０２を下方向に付勢する復帰ばねである第一の引きばね１０６と、一方端が第二の連結ピン１０５に係合し第二のスライダ１０３を下方向に付勢する第二の引きばね１０７とにより構成されている。
【００１３】
また、スライドベース１０１、第一のスライダ１０２および第二のスライダ１０３には、第三のインターロックワイヤ２１または第五のインターロックワイヤ３１を嵌挿して係止するためのワイヤ挿入溝１０１ａ，１０１ｂ，１０２ａ，１０３ａが配設（形成）されている。
なお、図示はしていないが、第二のインターロックユニット２０および第三のインターロックユニット３０も、第一のインターロックユニット１０と同様に構成されている。
【００１４】
図４に示すように、第三のインターロックワイヤ２１および第五のインターロックワイヤ３１の端部には、それぞれワイヤストッパ２１ａ，３１ａが設けられている。
そして、第三のインターロックワイヤ２１および第五のインターロックワイヤ３１がワイヤ挿入溝１０１ｂ、１０１ａに挿入された後に、第三のインターロックワイヤ２１または第五のインターロックワイヤ３１が上方向に引っ張られた時にスライドベース１０１が引っ張られた方向に移動可能なように、ワイヤストッパ２１ａ，３１ａによりワイヤ挿入溝１０１ａ，１０１ｂに係止されている。
これにより、第三のインターロックワイヤ２１および第五のインターロックワイヤ３１の端部は、スライドベース１０１に対して着脱可能に係止されている。
即ち、第三のインターロックワイヤ２１および第五のインターロックワイヤ３１は、第一のインターロックユニット１０に着脱可能に係止されている。
【００１５】
同様にして、第一のインターロックワイヤ１２および第六のインターロックワイヤ３２は第二のインターロックユニット２０に着脱可能に係止され、第二のインターロックワイヤ１３および第四のインターロックワイヤ２３は第三のインターロックユニット３０に着脱可能に係止されている。
【００１６】
図２に示すように、第一のインターロックユニット１０には、第一開閉器１の開閉動作に応じて動作する出力手段２００が配設されており、リンク２０１が軸２０２を支点に矢印Ａ方向に回動するとワイヤホルダ２０３が矢印Ｂ方向に移動し、第一のインターロックワイヤ１２および第二のインターロックワイヤ１３を引っ張るように形成されている。
即ち、第一開閉器１の出力手段２００は、第一のインターロックワイヤ１２を介して第一開閉器１の開閉状態を第二開閉器２に伝達（出力）し、また、同時に第二のインターロックワイヤ１３を介して第一開閉器１の開閉状態を第三開閉器３に伝達（出力）する。
なお、図示はしていないが、第二開閉器２および第三開閉器３についても第一の開閉器１と同様に構成されている。
【００１７】
図５は、実施の形態１による開閉器のインターロック装置の動作を説明するための図であり、例えば、第一のインターロックユニット１０の動作前の位置（状態）を示している。
なお、図５（ａ）は正面図、図５（ｂ）は左側面図である。
図６は、実施の形態１における開閉器のインターロック装置の動作を説明するための図であり、例えば、第一のインターロックユニット１０の動作後の位置（状態）を示している。
なお、図６（ａ）は正面図、図６（ｂ）は左側面図である
【００１８】
図５において、第一のインターロックユニット１０は、スライダ部１００の移動に伴い回動する閉路阻止手段である作動子３５を有しており、作動子（閉路阻止手段）３５が図５（ｂ）に示す初期位置では開閉器の閉路を阻止しないが、作動子３５が図６（ｂ）に示す第二位置に移動すると、装着された開閉器の閉路を阻止するように構成されている。
以上のように構成された実施の形態１による開閉器のインターロック装置の動作について、図５および図６を用いて説明する。
第一開閉器１において、第二開閉器２および第三開閉器３が投入されていない状態においては、インターロックユニット１０の作動子３５は初期位置（図５に示す）である。
【００１９】
第二開閉器２または第三開閉器３のいずれか一方の開閉器が投入（即ち、閉路形成が形成）されると、第二のインターロックユニット２０の出力手段（図示しない）または第三のインターロックユニット３０の出力手段のワイヤホルダ（図示しない）が下方行（図２参照）に移動し、第三のインターロックワイヤ２１または第五のインターロックワイヤ３１を上方向に移動させ、スライダ部１００を図６（ａ）の矢印Ｃ方向に引き上げる。
その結果、スライダ部１００に係合した作動子３５が図６（ｂ）に示すように第二位置に移動する。
作動子（閉路阻止手段）３５が第二位置に移動すると、第一開閉器１の投入機構（図示しない）を拘束し、第一開閉器１が投入できなくなる。
なお、スライダ部１００と作動子３５の接続構成は、前述の特許文献２（特開平０７−１９３９２３号公報）の図４に示されたものと同様であり、スライダ部１００の位置移動に応じて作動子３５の位置を移動させる機構の例については、特許文献２（特開平０７−１９３９２３号公報）の図７〜図９に示されているので、詳細な説明は省略する。
【００２０】
同様に、第二開閉器２において、第一開閉器１および第三開閉器３が投入されていない状態においては、第二のインターロックユニット２０の作動子３５は初期位置（図５（ａ）参照）である。
第一開閉器１または第三開閉器３のいずれか一方の  開閉器が投入されると、第一のインターロックユニット１０の出力手段２００または第三のインターロックユニット３０の出力手段のワイヤホルダ（図示しない）が下方行（図２参照）に移動し、第一のインターロックワイヤ１２または第六のインターロックワイヤ３２を上方向に移動させ、スライダ部（図示しない）を上方向に引き上げ、スライダ部に係合した作動子３５が第二位置（図６（ｂ）参照）に移動する。
【００２１】
同様に、第三開閉器３において、第一開閉器１および第二開閉器２が投入されていない状態においては、第三のインターロックユニット３０の作動子３５は初期位置である。（図５（ｂ）参照）
第一開閉器１または第二開閉器２のいずれか一方の開閉器が投入されると、第一のインターロックユニット１０の出力手段２００または第二のインターロックユニット２０の出力手段のワイヤホルダ（図示しない）が下方行（図２参照）に移動し、第二のインターロックワイヤ１３または第四のインターロックワイヤ２３を上方向に移動させ、スライダ部（図示しない）を上方向に引き上げ、スライダ部に係合した作動子３５が第二位置（図６（ｂ）参照）に移動する。
【００２２】
即ち、本実施の形態による開閉器のインターロック装置においては、３台の開閉器間において、いずれか１台の開閉器が投入されると、残り２台の開閉器は投入できなくなる。
【００２３】
実施の形態２．
図７は、実施の形態２に係る開閉器のインターロック装置の全体構成を示す斜視図である。
図８は、実施の形態２による開閉器のインターロック装置において、インターロックユニットのスライダ部にインターロックワイヤを取り付けた場合を示す拡大裏面斜視図である。
図９は、実施の形態２における開閉器のインターロック装置の動作を説明するための図であり、例えば、第一のインターロックユニット１０の動作前の位置（状態）を示している。
なお、図９（ａ）は正面図、図９（ｂ）は左側面図である。
図１０は、実施の形態２における開閉器のインターロック装置の動作を説明するための図であり、例えば、第一のインターロックユニット１０の動作後の位置（状態）を示している。
なお、図１０（ａ）は正面図、図１０（ｂ）は左側面図である
【００２４】
図８に示すように、第二開閉器２の開閉状態を伝達（入力）する第三のインターロックワイヤ２１および第三開閉器２の開閉状態を伝達（入力）する第五のインターロックワイヤ３１の端部は、ワイヤストッパ２１ａ，３１ａが設けられている。
そして、第三のインターロックワイヤ２１および第五のインターロックワイヤ３１は、第一のスライダ１０２に形成されたワイヤ挿入溝１０２ａおよび第二のスライダ１０３に形成されたワイヤ挿入溝１０３ａにそれぞれ挿入された後に、第三のインターロックワイヤ２１または第五のインターロックワイヤ３１が上方向に引っ張られた時に第一のスライダ１０２または第二のスライダ１０３が引っ張られた方向に移動可能なように、ワイヤストッパ２１ａ，３１ａによりワイヤ挿入溝１０２ａ，１０３ａに着脱可能に係止されている。
【００２５】
同様にして、第一開閉器１の開閉状態を伝達（入力）する第一のインターロックワイヤ１２および第三開閉器３の開閉状態を伝達（入力）する第六のインターロックワイヤ３２は第二のインターロックユニット２０に係止され、第一開閉器１の開閉状態を伝達（入力）する第二のインターロックワイヤ１３および第二開閉器２の開閉状態を伝達（入力）する第四のインターロックワイヤ２３は第三のインターロックユニット３０に着脱可能に係止されている。（図７参照）
【００２６】
以上のように構成された本実施の形態による開閉器のインターロック装置の動作について、図９および図１０を用いて説明する。
第一開閉器１において、第二開閉器２および第三開閉器３が投入されていない状態においては、第一のインターロックユニット１０の作動子（閉路阻止手段）３５は初期位置（図５（ｂ）参照）である。
【００２７】
第二開閉器２が投入されると、第二のインターロックユニット２０の出力手段（図示しない）のワイヤホルダ（図示しない）が下方行（図２参照）に移動し、第三のインターロックワイヤ２１を上方向に移動させ、第一のスライダ１０２を引き上げ（図９（ａ）の矢印Ｄ方向）、スライダ部１００に係合した作動子３５が図９（ｂ）に示す第一位置に移動する。
【００２８】
次に、第三開閉器３が投入されると、第三のインターロックユニット３０の出力手段（図示しない）のワイヤホルダ（図示しない）が下方行（図２参照）に移動し、第五のインターロックワイヤ３１を上方向に移動させ、第二のスライダ１０３を引き上げて（図１０（ａ）の矢印Ｅ方向）、スライダ部１００に係合した作動子３５は図１０（ｂ）に示すように第二位置に移動する。
【００２９】
以上のように、第一開閉器１に装着された第一のインターロックユニット１０の作動子３５は、第二開閉器２が投入されることによって、第三のインターロックワイヤ２１、第一のスライダ１０２の作用により、第一位置に移動し、さらに、第三開閉器３が投入されることによって、第五のインターロックワイヤ３１、第二のスライダ１０３の作用により、第二位置へ移動するので、作動子３５が第二位置へ移動したとき、第一開閉器１の投入機構（図示せず）を拘束し、第一開閉器１が投入できなくなる。
【００３０】
また、第一開閉器１および第三開閉器３の両方が投入されたときも同様に、第二開閉器２に装着されているインターロックユニット２０の作動子３５が第二位置へ移動して、第二開閉器２の投入機構（図示せず）を拘束し、第二開閉器２が投入できなくなる。
【００３１】
さらにまた、第一開閉器１および第二開閉器２の両方が投入されたときも同様に、第三開閉器３に装着されているインターロックユニット３０の作動子３５が第二位置へ移動して、第三開閉器３の投入機構（図示せず）を拘束し、第三開閉器３が投入できなくなる。
【００３２】
即ち、本実施の形態による開閉器のインターロック装置によれば、３台の開閉器間において、２台の開閉器の両方が投入された場合にのみ、残り１台の開閉器は投入できなくなるものである。
【００３３】
実施の形態３．
図１１は、実施の形態３による開閉器のインターロック装置において、インターロックユニットのスライダ部にインターロックワイヤを取り付けた場合を示す拡大裏面斜視図である。
図１２は、実施の形態３による開閉器のインターロック装置の動作を説明する図であり、例えば、第一のインターロックユニット１０の動作前の位置（状態）を示している。
なお、図１２（ａ）は正面図、図１２（ｂ）は左側面図である。
図１３は、実施の形態３による開閉器のインターロック装置の動作を説明するための図であり、例えば、第一のインターロックユニット１０の動作後の位置（状態）を示している。
なお、図１３（ａ）は正面図、図１３（ｂ）は左側面図である。
【００３４】
第三のインターロックワイヤ２１は、第一のスライダ１０２に形成されたワイヤ挿入溝１０２ａに挿入されている。
そして、第三のインターロックワイヤ２１が上方向に引っ張られた時に第一のスライダ１０２が引っ張られた方向に移動可能なようにワイヤストッパ２１ａによりワイヤ挿入溝１０２ａに着脱可能に係止されている。
また、第五のインターロックワイヤ３１は、スライドベース１０１に形成されたワイヤ挿入溝１０１ｂに挿入されている。
そして、第五のインターロックワイヤ３１が上方向に引っ張られた時にスライドベース１０１が引っ張られた方向に移動可能なようにワイヤストッパ３１ａによりワイヤ挿入溝１０１ｂに着脱可能に係止されている。
【００３５】
同様にして、第一のインターロックワイヤ１２および第六のインターロックワイヤ３２は第二のインターロックユニット２０に着脱可能に係止され、第二のインターロックワイヤ１３および第四のインターロックワイヤ２３は第三のインターロックユニット３０に着脱可能に係止されている。
【００３６】
以上のように構成された本実施の形態３による開閉器のインターロック装置の動作について、図１２および図１３を用いて説明する。
第一開閉器１において、第二開閉器２および第三開閉器３が投入されていない状態においては、第一のインターロックユニット１０の作動子３５は初期位置（図１２（ｂ）参照）である。
【００３７】
第二開閉器２が投入された場合には、第二のインターロックユニット２０の出力手段のワイヤホルダが下方行に移動し、第三のインターロックワイヤ２１を上方向に移動させ、第一のスライダ１０２を上方向に引き上げ、スライダ部１００に係合した作動子３５が第一位置に移動するが、第三開閉器３の開閉器が投入されると、第三のインターロックユニット３０の出力手段のワイヤホルダが下方行に移動し、第五のインターロックワイヤ３１を上方向に移動させ、スライダ部１００を矢印Ｆ方向に引き上げ、スライダ部１００に係合した作動子３５が図１３（ｂ）に示すように第二位置に移動する。
【００３８】
以上のように、第一開閉器１に装着された第一のインターロックユニット１０の作動子３５は、第二開閉器２の投入では作動子３５が第一位置にまでしか移動しないが、第三開閉器３を投入すると作動子３５が第二位置へ移動するので、第三開閉器３を投入したときにのみ第一開閉器１の投入機構（図示せず）を拘束し、第一開閉器１が投入できなくなる。
【００３９】
同様に、第二開閉器２に装着された第二のインターロックユニット２０の作動子３５は、第三開閉器３の投入では作動子３５が第一位置にまでしか移動しないが、第一開閉器１を投入すると作動子３５が第二位置へ移動するので、第一開閉器１を投入したときにのみ第二開閉器２の投入機構（図示せず）を拘束し、第二開閉器２が投入できなくなる。
【００４０】
同様に、第三開閉器３に装着された第三のインターロックユニット３０の作動子３５は、第一開閉器１の投入では作動子３５が第一位置にまでしか移動しないが、第二開閉器２を投入すると作動子３５が第二位置へ移動するので、第二開閉器２を投入したときにのみ第三開閉器３の投入機構（図示せず）を拘束し、第三開閉器３が投入できなくなる。
【００４１】
即ち、本実施の形態による開閉器のインターロック装置によれば、３台の開閉器間において、接続するインターロックワイヤの係止位置の設定によって、いずれか１台の開閉器が投入された場合に残り２台の開閉器を投入できなくし、また、いずれか２台の開閉器が投入された場合に残りの１台の開閉器が投入できなくすることができるものである。
【００４２】
以上説明したように、実施の形態１では、３台の開閉器間において、いずれか１台の開閉器が投入されると、残り２台の開閉器が投入できなくなる開閉器のインターロック装置の構成例について述べた。
また、実施の形態２では、３台の開閉器間において、２台の開閉器の両方が投入された場合にのみ、残り１台の開閉器は投入できなくなる開閉器のインターロック装置の構成例について述べた。
また、実施の形態３では、３台の開閉器間において、接続するインターロックワイヤの係止位置の設定によって、いずれか１台の開閉器が投入された場合に残り２台の開閉器を投入できなくし、さらに、いずれか２台の開閉器が投入された場合には残りの１台の開閉器が投入できなくすることができる開閉器のインターロック装置の構成例について述べた。
【００４３】
本発明による開閉器のインターロック装置は、第一の電路を開閉する第一開閉器１、第二の電路を開閉する第二開閉器２および第三の電路を開閉する第三開閉器３と、第一開閉器１に装着された第一のインターロックユニット１０、第二開閉器２に装着された第二のインターロックユニット２０および第三開閉器３に装着された第三のインターロックユニット３０と、これら第一、第二および第三のインターロックユニット間を連結し、第一、第二および第三の開閉器の開閉動作に応動して、自開閉器の開閉状態を他の２台の開閉器に伝達する連結手段（インターロックワイヤ）を有した開閉器のインターロック装置であって、第一、第二および第三のインターロックユニットのそれぞれは、自インターロックユニットが装着されている開閉器の開閉動作に応動して、連結手段を介して自開閉器の開閉状態を他の２台のインターロックユニットに出力する出力手段２００と、自インターロックユニットが装着されている開閉器の閉路形成を阻止する閉路阻止手段（作動子）３５と、連結手段を介して他の２台のインターロックユニットの出力手段から出力される他の２台の開閉器の開閉状態が入力される入力手段（スライダー部１００）を備え、該入力手段は、上記連結手段の連結位置を変えることによって、他の２台の開閉器のいずれか一方が閉路状態の時、あるいは他の２台の開閉器の両方が閉路状態の時のいずれの場合にも、上記閉路阻止手段により自インターロックユニットが装着されている開閉器の閉路形成を阻止するように構成している。
【００４４】
その結果、各インターロックユニットは、入力手段において、他の開閉器の動作状態を伝達してくる連結手段（インターロックワイヤ）の連結位置（係止位置）を、要求される仕様に応じて適宜変えることにより、希望する開閉器のインターロック装置（即ち、実施の形態１〜３のいずれかの開閉器のインターロック装置）に対応することが可能となる。
つまり、受電回路の仕様に応じた機能を有する専用のインターロック装置を予め準備することなく、連結手段の連結位置を変えるだけで種々の受電回路に対応できる開閉器のインターロック装置を実現できる。
【００４５】
また、本発明による開閉器のインターロック装置の連結手段は、入力手段に着脱可能に連結されるので、希望する開閉器のインターロック装置（即ち、実施の形態１〜３のいずれかの開閉器のインターロック装置）に容易に対応することが可能となる。
【００４６】
また、本発明による開閉器のインターロック装置の入力手段（スライダ部１００）は、他の２台の開閉器のいずれか一方が閉路状態の時に閉路阻止手段を阻止位置まで移動させるスライドベース１０１と、他の２台の開閉器の両方が閉路状態の時に上記閉路阻止手段を阻止位置まで移動させる第一のスライダ１０２および第二のスライダ１０３を備えているので、他の開閉器の動作状態を伝達してくる連結手段（インターロックワイヤ）の連結位置を、スライドベース１０１、第一のスライダ１０２および第二のスライダ１０３のいずれかに適宜変えることにより、希望する開閉器のインターロック装置（即ち、実施の形態１〜３のいずれかの開閉器のインターロック装置）に対応することが可能となる。
【００４７】
また、本発明による開閉器のインターロック装置では、連結手段（インターロックワイヤ）とスライドベース１０１、および連結手段と第一のスライダ１０２および第二のスライダ１０３とは着脱可能に連結されるので、希望する開閉器のインターロック装置に容易に対応することが可能となる。
【００４８】
また、本発明による開閉器のインターロック装置では、スライドベース１０１、第一のスライダ１０２および第二のスライダ１０３に連結手段（インターロックワイヤ）を嵌挿して係止するためのワイヤ挿入溝を配設したので、連結手段（インターロックワイヤ）を所定の位置に容易に位置決めし、かつ、確実に係止することができる。
【００４９】
【発明の効果】
この発明による開閉器のインターロック装置は、第一の電路を開閉する第一開閉器、第二の電路を開閉する第二開閉器および第三の電路を開閉する第三開閉器と、第一開閉器に装着された第一のインターロックユニット、第二開閉器に装着された第二のインターロックユニットおよび第三開閉器に装着された第三のインターロックユニットと、第一、第二および第三のインターロックユニット間を連結し、第一、第二および第三の開閉器の開閉動作に応動して、自開閉器の開閉状態を他の２台の開閉器に伝達する連結手段を有した開閉器のインターロック装置であって、
第一、第二および第三のインターロックユニットのそれぞれは、
自インターロックユニットが装着されている開閉器の開閉動作に応動して、連結手段を介して自開閉器の開閉状態を他の２台のインターロックユニットに出力する出力手段と、自インターロックユニットが装着されている開閉器の閉路形成を阻止する閉路阻止手段と、連結手段を介して他の２台のインターロックユニットの出力手段から出力される他の２台の開閉器の開閉状態が入力される入力手段を備え、入力手段は、連結手段の連結位置を変えることによって、他の２台の開閉器のいずれか一方が閉路状態の時、あるいは他の２台の開閉器の両方が閉路状態の時のいずれの場合にも、閉路阻止手段により自インターロックユニットが装着されている開閉器の閉路形成を阻止するように構成しているので、入力手段において、他の開閉器の動作状態を伝達してくる連結手段の連結位置を要求される仕様に応じて適宜変えることにより、種々の受電回路の仕様に対応できる。
【図面の簡単な説明】
【図１】実施の形態１による開閉器のインターロック装置の全体構成を示す斜視図である。
【図２】実施の形態１による開閉器のインターロック装置に装着されたインターロックユニットの内部機構の構成を示す斜視図である。
【図３】図２に示したインターロックユニットのスライダ部の構成を示す拡大斜視図である。
【図４】図３示したインターロックユニットのスライダ部を裏側から見た裏面斜視図である。
【図５】実施の形態１による開閉器のインターロック装置の動作を説明するための図であり、インターロックユニットの動作前の状態を示している。
【図６】実施の形態１による開閉器のインターロック装置の動作を説明するための図であり、インターロックユニットの動作後の状態を示している。
【図７】実施の形態２による開閉器のインターロック装置の全体構成を示す斜視図である。
【図８】実施の形態２による開閉器のインターロック装置において、インターロックユニットのスライダ部にインターロックワイヤを取り付けた場合を示す拡大裏面斜視図である。
【図９】実施の形態２による開閉器のインターロック装置の動作を説明するための図であり、インターロックユニット動作前の状態を示している。
【図１０】実施の形態２による開閉器のインターロック装置の動作を説明するための図であり、インターロックユニット動作後の状態を示している。
【図１１】実施の形態３による開閉器のインターロック装置において、インターロックユニットのスライダ部にインターロックワイヤを取り付けた場合を示す拡大裏面斜視図である。
【図１２】実施の形態３による開閉器のインターロック装置の動作を説明するための図であり、インターロックユニット動作前の状態を示している。
【図１３】実施の形態３による開閉器のインターロック装置の動作を説明するための図であり、インターロックユニット動作後の状態を示している。
【符号の説明】
１  第一開閉器
２  第二開閉器
３  第三開閉器、
１０  第一のインターロックユニット
２０  第二のインターロックユニット
３０  第三のインターロックユニット
１２  第一のインターロックワイヤ（連結手段）
１３  第二のインターロックワイヤ（連結手段）
２１  第三のインターロックワイヤ（連結手段）
２３  第四のインターロックワイヤ（連結手段）
３１  第五のインターロックワイヤ（連結手段）
３２  第六のインターロックワイヤ（連結手段）
３５  作動子（閉路阻止手段）
２１ａ  第三のインターロックワイヤ（連結手段）のストッパ
３１ａ  第五のインターロックワイヤ（連結手段）のストッパ
１００  スライダ部
１０１  スライドベース、
１０１ａ、１０１ｂ、１０２ａ、１０３ａ  ワイヤ挿入溝、
１０２  第一のスライダ
１０３  第二のスライダ
１０４  第一の連結ピン              １０５  第二の連結ピン
１０６  第一の引きばね              １０７  第二の引きばね
２００  出力手段
２０１  リンク
２０２  軸
２０３  ワイヤホルダ
【図１】
2005005093.tif 000003
【図２】
2005005093.tif 000004
【図３】
2005005093.tif 000005
【図４】
2005005093.tif 000006
【図５】
2005005093.tif 000007
【図６】
2005005093.tif 000008
【図７】
2005005093.tif 000009
【図８】
2005005093.tif 000010
【図９】
2005005093.tif 000011
【図１０】
2005005093.tif 000012
【図１１】
2005005093.tif 000013
【図１２】
2005005093.tif 000014
【図１３】
2005005093.tif 000015